Podtech/llm-jp-corpus-v4-ja_patent huggingface dataset:
(57)【要約】      （修正有）【課題】贈り物としての色紙掛けや額でない、自分で創作した作品を創作仲間や家庭でみんなと鑑賞し楽しめる。【解決手段】色紙掛け部を布繊維紙としカレンダー部と一体感をもたせ、制作費を押さえだれでも入手できる低価格にしています。色紙短冊そのものに、糊付け小穴を設置し色紙のサイズより小さい写真絵はがきなどは、色紙の裏面から小穴に糊を付けて貼付します。この方法でかなり多くのサイズの物が使用でき、貼り替えも作品を痛めずに多回数使えます。【選択図】図１
0003101439.tif 000002
【実用新案登録請求の範囲】
【請求項１】
布繊維紙を台紙とし、これに折り目が原形に復する堅牢な厚紙や化学繊維紙などを使用した掛け帯具で作った写真や絵はがきクラフト小物が掛けられる色紙短冊掛け具。
【請求項２】
多サイズ写真絵など多回数貼り外しできる糊付け小穴を設置した装飾台紙の短冊色紙と掛け具。
【請求項３】
請求項１の色紙短冊掛け具にカレンダーをつけた多サイズ多回数貼り外しできる写真絵はがき色紙短冊掛けカレンダー。
【考案の詳細な説明】
【技術分野】
【０００１】  本案は、色紙短冊掛け具とカレンダーに関するもので、趣味の創作品・絵画・押し花・ちぎり絵などを容易に掛けて楽しむ簡易掛け具とカレンダーを一体にし、いつでも気軽に掛けて楽しめる色紙短冊掛けカレンダーに関するものです。
【背景技術】
【０００２】  従来の色紙や短冊掛けや額は、色紙や短冊のサイズに合わせて作られています。主な用途は贈答用で、装飾を主に木製品が多く高級品には額装があり、色紙も金箔の祝い用の物があります。しかし、自作の詩歌や絵などを楽しむには、掛け外しが不便なので半年や一年に一回掛け替えられれば良い方です。
本案は、自作を楽しむことを主としたもので、茶の間の日常品のカレンダーと一体になっています。色紙掛けとカレンダーを一体としたものはありません。
【考案が解決しようとする課題】
【０００３】  従来の技術で述べた、サイズ別に作られている色紙短冊掛けの問題。贈答を目的とした装飾用の色紙短冊掛け額の問題。入れ替え掛け替え手数の問題。趣味の創作・自作品鑑賞用の色紙短冊掛けの問題などがあります。特に近年美術愛好者が増え自作作品の鑑賞用が要求されています。
しかし、贈答を目的とした物では自作鑑賞には、立派過ぎて気後れや恥じらいがあり使われていないと言う欠点があります。
【考案が解決するための手段】
【０００４】  従来の技術で述べた、色紙短冊掛けのサイズ問題を掛け具を改善するのではなく色紙短冊そのものに、糊付け小穴を設置し色紙のサイズより小さい写真絵はがきなどは、色紙の裏面から小穴に糊を付けて貼付します。この方法でかなり多くのサイズの物が使用でき、貼り替えも作品を痛めずに多回数使えます。
【０００５】  上記の贈答品を目的とした色紙短冊掛けの問題点には価格が高いこともあります。したがって、用途の異なった製品にこだわらず、まず使用目的を本案は趣味の創作品を楽しむことを第一の目的にしています、材質を布や化学繊維紙を使用し制作費を低減、安価にし手軽に入手でき容易にだれも掛け替えができるものにしています。
【０００６】  自作の作品を恥じらうことなく、いつでも掛けて鑑賞できる色紙短冊掛けにするため、どこの家にもあるカレンダーと一体化し、趣味の創作品を気軽に楽しむに最適な日常用品にしています。これで、家族揃って鑑賞ができ次の創作に熱が入ります。
【０００７】  また、気軽な贈答品としても最適です。デパートでは手に入らない心のこもった、世界にただ一つしかない「自作品」つきカレンダーです、そして贈られた人も自分の作品を掛け替えて親しむことができます。
【考案を実施するための最良の形態】
【０００８】  考案の実施の形態を図面により説明します。
図１．多サイズ絵色紙掛け布繊維紙使用カレンダーの説明見取り図の一例です。
（１）．本体の吊り紐。（２）写真色紙掛けの台布紙部分。（３）色紙掛け紙帯。四隅に付けます。（４）色紙掛け紙帯を差し込む台布紙の切り込み穴部。四隅に二カ所。（５）色紙。（６）カレンダー部分。（７）写真色紙掛けとカレンダー接着部。
図２．多サイズ写真絵色紙掛けを一体とした布繊維紙使用カレンダーの裏面の説明図。
▲１▼色紙掛け布紙部分。▲２▼色紙掛け紙帯で図１（４）の色紙掛け紙帯を表面から差し込み裏面で折りを元に戻し広げた部分です。▲３▼色紙掛け紙帯の予備の部分、で色紙の掛け外しのとき、この予備の長さを伸ばしてスムーズに掛けられます。
図３．多サイズ写真絵色紙掛け専用の装飾台紙色紙を一例とした説明図です。
Ａは台紙になる色紙。Ｂは糊付け穴。穴は多サイズ、タテ・ヨコ形にも使用できる位置位に付け、糊は極少量で固定できます。これでＡの台紙色紙のサイズ以内の作品なら総て掛けることができます。Ｃは貼付作品の位置合わせ用の指入れ穴です。
図４．色紙掛け帯の説明図で復元力のある厚紙を使用した場合の一例です。
イ色紙掛け帯部。ロ折り線。ハは掛け帯の抜け止め部、で折り線から折り曲げ図１の（４）の切り込み穴を通し裏面で折りを開けば穴から抜けません。なお、イ色紙掛け帯部の長さは、掛ける色紙の厚みを勘案して予備の長さをつけます。
【考案の効果】
【０００９】  本考案は上述のとおりであります。
【００１０】  色紙サイズ別の掛け具の問題を、多サイズの作品が貼り外し出来る装飾台紙により、多回数使用できサイズ選択の問題を解決しています。
趣味の創作品には不向きであった掛け具や額を、手軽に気軽に鑑賞できる色紙短冊掛けを、どこの家にも必要なカレンダーと一体化し創作仲間の教室、一家団欒の茶の間、今創作した作品が掛けて楽しめるものとしています。
高価な贈答用色紙掛けや額の用途から、自作の作品を鑑賞する用途を主にカレンダー布繊維紙など原価の安い材料の使用を可能にして、効果を上げています。
【図面の簡単な説明】
【００１１】
【図１】多サイズ写真絵色紙掛けを一体とした布繊維紙使用カレンダーの説明見取り図の一例です。
【図２】多サイズ写真絵色紙掛けを一体とした布繊維紙使用カレンダーの裏面に関する説明図です。
【図３】多サイズ写真絵色紙掛け専用の装飾台紙色紙を一例とした説明図です。
【図４】色紙掛け帯の説明図で復元力のある厚紙を使用した場合の一例です。
【符号の説明】
図１  （１）本体吊り紐。（２）色紙掛け布紙部。（３）色紙掛け帯。（４）掛け帯差し込穴。（５）色紙。（６）カレンダー部。（７）色紙掛けとカレンダー接着部。
図２  ▲１▼色紙掛け布紙部。▲２▼色紙掛け帯。▲３▼色紙掛け帯の予備の部分。
図３  Ａ台紙になる装飾色紙。Ｂ糊付け穴。Ｃ貼付作品の位置合わせ穴。
図４  イ色紙掛け帯部。ロ折り線。ハ掛け帯差込穴抜け止め部。
【図１】
0003101439.tif 000003
【図２】
0003101439.tif 000004
【図３】
0003101439.tif 000005
【図４】
0003101439.tif 000006
(57)【要約】      （修正有）【課題】パソコン、ＩＣレコーダー、携帯ラジオなどの音声を離れて聞くことができ、携帯電話などのモバイル端末において複数の人が同時に聞いたり話すことができるようにする。【解決手段】基幹コード１部の一端に拡声器との接続具を有し、基幹部の他端から分岐した分岐コード２部の各端部に各種入出力電子機器との接続具を有する。接続具はプラグやジャックであり、各種入出力電子機器がパソコン、ＩＣレコーダー、アナログレコーダー、携帯電話機などのモバイル端末、携帯ラジオのいずれかであるである場合に好適である。なお、出力電子機器が携帯電話機である場合、電気コード類の中間位置にマイクロフォンを設置しておき、送話が携帯電話機で送信され、受話が拡声器から聞かれるよう電気コード類を設置しておくとさらに好適である。【選択図】図１
0003101416.tif 000002
【実用新案登録請求の範囲】
【請求項１】
基幹コード（１）の一端に拡声器との接続具を有し、基幹コード（１）の他端から分岐した分岐コード（２）の各端部に各種入出力電子機器との接続具を有する接続具付き電気コード類。
【請求項２】
各種入出力電子機器がパソコン、ＩＣレコーダー、アナログレコーダー、携帯電話機などのモバイル端末、携帯ラジオのいずれかである請求項１記載の接続具付き電気コード類。
【請求項３】
接続具がプラグまたはジャックである請求項１記載の接続具付き電気コード類。
【請求項４】
入出力電子機器が携帯電話機であり、分岐コード（２）の中間位置に送話が携帯電話機で送信され受話が拡声器から聞かれるマイクロフォンを設置してある請求項１記載の接続具付き電気コード類。
【考案の詳細な説明】
【技術分野】
【０００１】
本考案は市販の各種入出力電子機器と拡声器とを連結するための接続具付き電気コード類に関する。
【背景技術】
【０００２】
従来、、パソコン、ＩＣレコーダー、携帯ラジオなどの音声を離れて聞きたいとき、市販されている拡声器はこれら各機器としか接続できない専用のものが殆どであるので、機器ごと専用の拡声器を用意しておかなければならず費用がかかり、また、携帯電話機においては一人対一人の通話しかできないという不便さがある。従来、数本の電線を螺旋形状にし、それをを紐状にした電線を被覆し、さらに、それを任意数並列し、ゴム外装して成形し、コード自体に伸縮性をもたせた電気コードが特許文献１にみられるが、本考案目的に接続具が付いているものではない。
【特許文献１】実開平１−９２７１７
【考案の開示】
【考案が解決しようとする課題】
【０００３】
本考案はパソコン、ＩＣレコーダー、、携帯ラジオなどの音声を離れて聞くことができ、携帯電話などのモバイル端末においては複数の人が同時に聞いたり話すことのできる市販各種入出力電子機器と拡声器との連結用接続具付き電気コード類を提供せんとするものである。
【課題を解決するための手段】
【０００４】
ここにおいて本考案者は、基幹コード１の一端に拡声器との接続具を有し、基幹コードの他端から分岐した分岐コード２の各端部に各種入出力電子機器との接続具を有する接続具付き電気コード類を見出し、接続具がプラグまたはジャックであり、各種入出力電子機器がパソコン、ＩＣレコーダー、アナログレコーダー、携帯電話機などのモバイル端末、携帯ラジオのいずれかであるである場合に好適であることを見出すに至った。なお入出力電子機器が携帯電話機である場合、分岐コード２の中間位置にマイクロフォンを設置し、送話が携帯電話機で送信され、受話が拡声器から聞かれるようにしておくとさらに好適であることを見出した。
【０００５】
なお、以上において、携帯電話機とマイクロホンを接続する分岐コード２には専用のジャックが付いており、拡声器と基幹コード１との接続にプラグが直接使用できない場合はプラグアダプタを介してプラグを接続するようにしてある。
【考案の効果】
【０００６】
パソコン、ＩＣレコーダー、ラジオなど各種入出力電子機器の音声を離れて聞きたいとき、入出力電子機器の種類が変わっても市販されている一個の拡声器に接続することができるので経済的である。また、携帯電話機においては複数人対複数人の通話が可能となる。                                                                              
【考案を実施するための最良の形態】
【０００７】
本考案の接続具付き電気コード類に使用される接続具はプラグ又はジャックであるが、互換性がなくプラグが直接使用できない場合はプラグアダプタを介してプラグを接続するようにする。また、使用する拡声器は市販品等を任意に選択使用することができる。
【０００８】
本考案の接続具付き電気コード類において分岐コード２は通常数本が適当であり、分岐コード２の各端部に各種入出力電子機器との接続具を設けるが、各種入出力電子機器については使用頻度の多いものを優先して対象にし、かつ接続具は互換性があるものを優先して使用するようつとめる。
【実施例１】
【０００９】
図１に３本の分岐コード２部を有する接続具付き電気コード類の配置の概略を示してあるが、拡声器として市販のミニスピーカーを使用し、ミニスピーカーに接続する基幹コード１の先端にプラグを付け、プラグアダプタを介して最先端にミニスピーカーと接続するためのプラグが付いている。適当長さの基幹コード１の他端から分岐コード２として３本に分かれ、そのうちの１本の先端にはパソコン用プラグが取付られてある。他の１本にはＩＣレコーダー用プラグが取付けられているが、携帯ラジオ用プラグと兼用することができる。そして、３本目の先端には携帯電話用プラグ（４極プラグ又は平型ＳＷプラグ）を取付けてある。なお、この３本目の分岐コード２には市販のフリーハンドマイクロホンが取付けられてあり、送話が携帯電話機で送信され受話が拡声器から聞かれるので好都合である。
【図面の簡単な説明】
【００１０】
【図１】本考案の接続具付き電気コード類の一例を示す説明図
【符号の説明】
【００１１】
１  基幹コード
２  分岐コード
【図１】
0003101416.tif 000003
(57)【要約】
【課題】  キャップタイヤを巻き取り収納するときに使用する大型のキャップタイヤ用巻取り装置に関するもので、本考案の特徴は、巻き取り収納したキャップタイヤを装置から取り外すときに簡単に取り外すことができるようにした装置を提供する。
【解決手段】  キャップタイヤのドラムの片方の壁面（ドラム蓋２）が取りはずしができ、しかも、巻付け軸芯部分がテーパー状になっているため、キャップタイヤ巻取り収納装置からキャップタイヤを外すときに、キャップタイヤが容易に、しかも早く取り外すことができることを特徴とする。
【選択図】    図１
0003101415.tif 000002
【実用新案登録請求の範囲】
【請求項１】
ドラムの片方の壁面、ドラム蓋（２）が取りはずしができ、コード、すなわちキャップタイヤ（１５）の巻付け軸芯（１４）部分がテーパー状（手前が細くなっている状態）になっていることを特徴とする、キャップタイヤの巻取り収納装置。
【考案の詳細な説明】
【技術分野】
【０００１】  本考案は、キャップタイヤを巻き取り収納するときに使用する大型のキャップタイヤ用巻取り装置に関するもので、本考案の特徴は、巻き取り収納したキャップタイヤを装置から取り外すときに簡単に取り外すことができるようにした装置に関するものである。
【背景技術】
【０００２】  従来は、電気コードなどを巻き取り収納する電工ドラムやコード巻き取り装置は考案、発明され市販されているものもあるが、電気溶接等で使用する径の太いコードやキャップタイヤ等を巻き取り収納するときに使用する大型の巻き取り装置の先行技術はない。
【特許文献１】    特開２００１−３０２１０８号
【特許文献２】    登録実用新案−第３０１８２６２号
【考案の開示】
【考案が解決しようとする課題】
【０００３】  従来、キャップタイヤ等を収納するときは、床面にキャップタイヤそのもので直径約４〜５０ｃｍ程度の適当な円周を描きながら輪を作り、それを、１〜３本の結束紐で縛り、収納していた。【０００４】  この従来の方法で収納するには、一定の広さの空地が必要であり、作業現場によっては、その空地さえもない場合がある、床面にキャップタイヤで円周を描きながら収納するのであるが、その円周の大きさがまちまちの大きさになり、収納するのに時間がかかりすぎていた。
また、キャップタイヤは、電気コードのように、コードをドラムに巻いたまま作業するわけにはいかないのである。その理由は、キャップタイヤには、高電圧が流れるため、コード、すなわちキャップタイヤに熱を持ち危険であるためである。
従って、一度、結束収納されたキャップタイヤを翌日または次回、作業に使用場合は、結束収納されたキャップタイヤを一度、床面に置き、キャップタイヤを解き、使用を開始するのである。
【考案を解決するための手段】
【０００５】  本考案は、図１の斜視図に描かれているように、一見、電工ドラムのような形をしているが、従来の電工ドラムとの大きな違いは、まず、ドラムの片方の壁面、ドラム蓋（２）が取りはずしができること、次に、コード、すなわちキャップタイヤの巻付け軸芯（１４）部分がテーパー状（手前が細くなっている状態）になっていることである。
【考案の効果】
【０００６】  本考案のキャップタイヤ巻取り収納装置を使用することによって、狭い作業場でのキャップタイヤの収納作業が、早く、しかも綺麗に収納結束されるばかりでなく、また、キャップタイヤのドラムの片方の壁面、ドラム蓋（２）が取りはずしができ、しかも、巻付け軸芯（１４）部分がテーパー状になっているため、キャップタイヤ巻取り収納装置からキャップタイヤを外すときに、キャップタイヤが容易に、しかも早く取り外すことができる。
また、図８で示すように、本考案のキャップタイヤ巻取り収納装置を車両に固定設置することによって、取付支持吊り支柱（１１）が自由に首を振ることによって、キャップタイヤを巻き取り収納するときに、キャップタイヤのよじれが生じにくい利点もある。
【考案を実施するための最良の形態】
【０００７】  本考案の製造に当たって記述すると、まず、材質はさまざまな材料が考えられるが、まず、考案の趣旨を理解すると分かるように、キャップタイヤという、重量物を巻き取り収納する考案であるため、頑丈な材料であること、次に、できるだけ軽量な材質であることである。もちろん鉄製で製作してもいいだろうが、できれば、頑丈な硬質の合成樹脂等の材料で製造したほうが好ましい。
【産業上の利用可能性】
【０００８】  本考案のキャップタイヤ巻取り収納装置の製造に関しては、使用材料等によって製造方法は異なるが、支持支柱（１１）部分は鉄製で製作し、ドラム部分は頑丈な硬質の合成樹脂で製造するが望ましい。その場合、大きくは、２つの部品（コードリールドラ（１）、とドラム蓋（２）に分けられ、コードリールドラム（１）は、コードリール巻付け軸芯（１４）と一体ものとし、そのコードリールドラム（１）に、ドラム蓋（２）を取り付けるようにする。
また、浮かせ台（７）は、木片でも硬質合成樹脂板でもいいが、できれば、コードリールドラ（１）の成型とした方がいい。なお、この浮かせ台（７）の働きは、キャップタイヤを本装置から取り外すとき、容易なためのものである。
【図面の簡単な説明】
【０００９】
【図１】本考案の斜視図
【図２】本考案の全体図
【図３】本考案の正面図
【図４】本考案の側面図
【図５】本考案のドラム蓋の図
【図６】本考案のコードリールドラムの図（ドラム蓋２を外した図）
【図７】本考案にコードを巻き取り、ドラム蓋２を外した図
【図８】本考案を車両に取り付けた図
【符号の説明】
【００１０】  １．リールドラム
２．ドラム蓋
３．ドラム蓋止突起
４．ドラム蓋掛止具
５．支軸
６．巻取りハンドル
７．浮かせ台
８．コード孔（キャップタイヤ孔）
９．コード止具（キャップタイヤ止具）
１０．結束紐
１１．取付支持吊り支柱
１２．ボルト
１３．ナット
１４．巻取軸心
１５．コード（キャップタイヤ）
１６．ドラム蓋止具溝
１７．本体固定補助具
【図１】
0003101415.tif 000003
【図２】
0003101415.tif 000004
【図３】
0003101415.tif 000005
【図４】
0003101415.tif 000006
【図５】
0003101415.tif 000007
【図６】
0003101415.tif 000008
【図７】
0003101415.tif 000009
【図８】
0003101415.tif 000010
(57)【要約】      （修正有）【課題】背中を容易に洗うことができるようにする。【解決手段】長方形のタオル等の布地１を環状の襷の形状にし、一方の肩にかけ、他方の腰へ斜めにたらす環状の襷の布として使用する。以上の構成よりなり、背中を容易に洗えるタオルとなる。【選択図】図１
0003101411.tif 000002
【実用新案登録請求の範囲】
【請求項１】
一方の肩にかけ、他方の腰へ斜めにたらす環状の布を使用し、環の中央に体を入れて使用できる環状の襷の形状のタオル
【考案の詳細な説明】
【考案の詳細な説明】
【技術分野】
【０００１】  この発明は、入浴時等で使用するタオル等の布地であって、環状のタオルの中に体を入れて襷のようにして使用できる襷状のタオルに関するものである。
【背景技術】
【０００２】  従来のタオルは、長方形の形のもので、背中を洗うときは、タオルの両端を手に持って、背中にタオルを回して使用している。
【考案が解決しようとする課題】
【０００３】  従来のタオルでは、長方形のタオルの両端を手に持って、背中にタオルを回して使用するには、幼児や老人又は障害者にとって苦痛となる場合がある。本発明は、タオルが襷のような環状になって、環状の中に自分の体を入れ、襷状のタオルの２箇所を体の両前で両手で交互に引いて、背中を容易に洗うことが出来る。
【課題を解決する為の手段】
【０００４】  長方形のタオル等の布地を環状の襷の形状にし、一方の肩にかけ、他方の腰へ斜めにたらす環状の襷の布として使用する。
本発明は、以上の構成よりなり、背中を容易に洗えるタオルとなる。
【考案を実施するための最良の形態】
【０００５】  以下、本発明の実施の形態を説明する。
タオル等の長方形の布地等（１）を環状の襷のような形状で、タオルとして使用することができる。
本発明は、以上の構成よりなる。
【考案の効果】
【０００６】  本発明のタオルを使用すると、タオルが襷のような形になって、環状の中に自分の体を入れ、タオルの２箇所を体の両前で両手で交互に引いて、背中を容易に洗うことができるので、幼児や老人又は障害者にとって便利である。
【図面の簡単な説明】
【図１】本発明の正面図
【符号の説明】
（１）環状の布地等
【図１】
0003101411.tif 000003
(57)【要約】
【課題】  本発明は、従来のタオルでは、長方形のタオルの両端を手に持って、背中にタオルを回して使用するには、幼児や老人又は障害者にとって苦痛となる場合がある。タオルが襷のような環状になって、環の中に自分の体を入れ、襷状のタオルの２箇所を体の両前で両手で交互に引いて、背中を容易に洗うことができるようにするものである。
【解決手段】長方形のタオルの中央部分に横長の切れ目を入れる。
【選択図】  図１
0003101412.tif 000002
【実用新案登録請求の範囲】
【請求項１】
一方の肩にかけ、他方の腰へ斜めにたらす環状の布のように使用できるよう、長方形のタオル等の布地の中央部に切れ目をいれて、切れ目の中に体を入れ、使用できる襷のような形態のタオル
【考案の詳細な説明】
【考案の詳細な説明】
【技術分野】
【０００１】  この発明は、入浴時等で使用するタオル等の布地であって、タオルの切れ目の中に体を入れて襷のようにして使用できる襷状のタオルに関するものである。
【背景技術】
【０００２】  従来のタオルは、長方形の形のもので、背中を洗うときは、タオルの両端を手に持って、背中にタオルを回して使用している。
【考案が解決しようとする課題】
【０００３】  従来のタオルでは、長方形のタオルの両端を手に持って、背中にタオルを回して使用するには、幼児や老人又は障害者にとって苦痛となる場合がある。本発明は、タオルが襷のような形になって、切れ目の中に自分の体を入れ、襷状のタオルの２箇所を体の両前で両手で交互に引いて、背中を容易に洗うことが出来る。
【課題を解決する為の手段】
【０００４】  長方形のタオル等の布地等の中央部分に横長の切れ目を入れると、一方の肩にかけ、他方の腰へ斜めにたらす環状の襷の布として使用できる。
本発明は、以上の構成よりなり、背中を容易に洗えるタオルとなる。
【考案を実施するための最良の形態】
【０００５】  以下、本発明の実施の形態を説明する。
タオル等の布地（１）の中央部分を横長に切れ目（２）を開けると、襷のような形態で使用することができる。
本発明は、以上の構成よりなる。
【考案の効果】
【０００６】  本発明のタオルを使用すると、タオルが襷のような形になって、切れ目の中に自分の体を入れ、タオルの２箇所を体の両前で両手で交互に引いて、背中を容易に洗うことができるので、幼児や老人又は障害者にとって便利である。
【図面の簡単な説明】
【図１】本発明の正面図
【符号の説明】
（１）長方形のタオル等の布地等
（２）切れ目
【図１】
0003101412.tif 000003
(57)【要約】
【課題】  簡易に製作可能で低価格に提供可能な尺八を開発する。
【解決手段】  本案尺八は、煮沸後乾燥させてまっすぐに伸ばした竹の内面に、二つに分割可能な円柱形の成型柱体を挿入して間隙に合成樹脂を注入して笛口の第１穴付近が最も幅狭となる内壁を形成し、壁面に第１穴，第２穴，・・の笛穴を配設したことを特徴とする。
【選択図】      図１
0003101500.tif 000002
【実用新案登録請求の範囲】
【請求項１】
煮沸後乾燥させてまっすぐに伸ばした竹の内面に、二つに分割可能な円柱形の成型柱体を挿入して間隙に合成樹脂を注入して笛口の第１穴付近が最も幅狭となる内壁を形成し、壁面に第１穴，第２穴，・・の笛穴を配設したことを特徴とする尺八。
【考案の詳細な説明】
【技術分野】
【０００１】  本考案は、簡易に製作可能な尺八に関する。
【背景技術】
【０００２】  従来、尺八の製法に関しては特許文献１が提案されている。その概要は、
『（ａ）：尺八の評価の基準である音量や調律が、理想的に完成された尺八を基とし、その尺八の内径を歌口（１０）から管尻（１１）まで細かく微分して計測し、その微分した各部の歌口（１０）からの長さと、各部の内径の関係をグラフにまとめ、尺八内径の理想曲線（７）を作成する工程、（ｂ）：その理想曲線（７）を基に、内径の一番小さい抱き節（１３）付近で、上管部と下管部に分け、それぞれの理想曲線（７）の長さと内径に対応した、計測パーツ（１６）をシャフト（１７）にはめて、その両端を大型固定具（１８）と小型固定具（１９）で固定して、上管部と下管部の、金属製の原型を作る工程、・・・』
という内容である。【０００３】  しかしこれは、工程が複雑であると共に、経済的に高価なものとなる。
【特許文献１】  特開２００２−２４４６５０号公報
【考案の開示】
【考案が解決しようとする課題】
【０００４】  本考案は、簡易な構成で低価格に提供可能な尺八を開発しようとするものである。
【課題を解決するための手段】
【０００５】  上記課題を解決するために、本案尺八は、煮沸後乾燥させてまっすぐに伸ばした竹の内面に、二つに分割可能な円柱形の成型柱体を挿入して間隙に合成樹脂を注入して笛口の第１穴付近が最も幅狭となる内壁を形成し、壁面に第１穴，第２穴，・・の笛穴を配設したことを特徴とする。
【考案を実施するための最良の形態】
【０００６】  先ず、竹藪から、真竹の３年経過したもので直径３〜４ｃｍ程度のものを採取し、寝付きのやや曲がった部分を切り取る。この採取の時期は、霜の降りる冬期が望ましい。
上記採取した真竹１を、７節を備えて１尺３寸〜２尺３寸程度の長さに切断し、これを殺菌の目的で、カセイソーダ溶液に浸して２〜３時間煮沸する。煮沸後、容器から取り出して常温に放置、冷却し、日影で乾燥させる。
次いで、曲がった根付け部分を、ガス等の火であぶりながら、曲折部分を金具で押し付けてまっすぐに伸ばした状態とし、ドリルを用いて中の節を抜く。【０００７】  次に、図２に示す如く、上記１尺３寸〜２尺３寸に対応した長さとし、その中間で、笛の第１穴に合わせた付近の位置で、口径が漸次幅狭となる最狭点を設けた成形柱体４を形成する。
即ち、該成形柱体４は、中間で４ａと４ｂとに２分割でき、雌ネジ４ａ１と雌ネジ部４ｂ１とで結合及び分離が自在な円柱形とする。【０００８】  次いで、真竹１の下辺をゴム製の台３で塞ぎ、筒中に漆に匹敵する合成樹脂２、例えばポキシ樹脂、を適量だけ注入する。そして、上記成形柱体４を上記真竹１の筒中に挿入し、成形柱体４との間隙が合成樹脂２で満たされるようにする（図２（Ａ）、（Ｂ）参照）。
該合成樹脂２の硬化を待って、上記成形柱体４の結合部の雌ネジ４ａ１と雄ネジ４ｂ１との螺合を解き、それぞれを上下方向に引き離す（図２（Ｃ）（Ｄ）参照）。
すると、真竹１の内部に、合成樹脂２が硬化した壁が形成され、その形態は、第１穴付近部分が幅狭の口径となり、上下に進むに連れて漸次口径が拡大する。
該内壁に合成樹脂を形成した筒体に、第１穴１ａから、順次第２穴１ｂ、第３穴１ｃ・・第５穴１ｅを配設して尺八を得る。
【産業上の可能性】
【０００９】  本考案は、尺八としての利用が可能である。
【考案の効果】
【００１０】  何度も漆を塗って乾燥させる従来の工法に比べて、本案尺八は、製作が簡潔である。
又、漆を用いず合成樹脂によるので、経済的にも安価であり、一般需要者にも普及が可能となる。
【図面の簡単な説明】
【００１１】
【図１】本案尺八の斜視図。
【図２】本案尺八の製造工程を示すもので、（Ａ）が円柱体を挿入前の断面図、（Ｂ）が挿入後の断面図。
【図３】本案尺八の製造工程を示すもので、（Ｃ）が樹脂硬化後の断面図、（Ｄ）が円柱体を分離する状態の断面図、（Ｅ）が笛口を穿設した状態の断面図。
【符号の説明】
【００１５】１    真竹
２    合成樹脂
３    台
４    円柱体
【図１】
0003101500.tif 000003
【図２】
0003101500.tif 000004
【図３】
0003101500.tif 000005
(57)【要約】
【課題】大型駐車場などで自分の車の位置が分からなくなることは、誰しもよくあることです。大きな車の影になっていたり、暗い駐車場の中を、重い荷物を持ったまま探したりしていました。
【解決手段】小さな旗がついた針がねを吸盤で車の屋根に吸着させ、自分の車の位置を分かりやすくするための車体識別用フラッグです。
【選択図】    図１
0003101499.tif 000002
【実用新案登録請求の範囲】
【請求項１】
旗をつけた針がねを吸盤で駐車した車の屋根に吸着させ、大型駐車場などで、自分の車を分かりやすくする為の車体識別用フラッグ
【考案の詳細な説明】
【技術分野】
【００１】小さな旗がついた針がねを吸盤で車の屋根に吸着させ、自分の車の位置を分かりやすくするものです。
【背景技術】
【００２】スーパーの店内などにポップとして目立つ旗がよく飾られていますが、これを個人レベルでは、あまり使うことはありませんでした。
【考案の開示】
【考案が解決しようとする課題】
【００３】大型駐車場などで自分の車の位置が分からなくなることは、誰しもよくあることです。大きな車の影になっていたり、暗い駐車場の中を、重い荷物を持ったまま探したりしていました。
【課題を解決するための手段】
【００４】小さな旗がついた針がねを吸盤で車の屋根に吸着させれば、たくさんの車が並ぶ中で、自分の車が分かりやすくなります。
【考案の効果】
【００５】広い駐車場内で、自分の車の位置が分かりやすくすることで、重い荷物を持ったまま迷ったり、不安になることが軽減されます。
【考案を実施するための最良の形態】
【００６】針がね（２）の先に蛍光色などの派手で小さな旗（３）を着け、それを吸盤（１）で駐車している車の屋根に吸着させます。
【図面の簡単な説明】
【００７】
【図１】    正面図、側面図
【図２】    実際に車に装着した場合の予想図
【符号の説明】
【００８】      １：吸盤
２：針がね
３：旗
【図１】
0003101499.tif 000003
【図２】
0003101499.tif 000004
(57)【要約】
【課題】簡単に製造できるとともに、人の目にとまりやすい展示自動車装飾用アーチを提供する。
【解決手段】ズボンをはいた人間が身体を曲げて両手を脚で支えて開脚した脚の間から後を見る顔の姿勢を模した形状の展示自動車装飾用アーチにおいて、アーチ形をしたアーチパイプに開脚した姿勢を模した筒状の生地を通して形成された、自動車を幅方向で跨ぐアーチ形のズボンに、顔及び手の形状を模して形成した樹脂板が取り付けられている。
【選択図】図１
0003101495.tif 000002
【実用新案登録請求の範囲】
【請求項１】
ズボンをはいた人間が身体を曲げて両手を脚で支えて開脚した脚の間から後を見る顔の姿勢を模した形状の展示自動車装飾用アーチにおいて、アーチ形をしたアーチパイプに開脚した姿勢を模した筒状の生地を通して形成された、自動車を幅方向で跨ぐアーチ形のズボンに、顔及び手の形状を模して形成した樹脂板が取り付けられていることを特徴とする展示自動車装飾用アーチ。
【請求項２】
前記ズボンの裾に靴の形状を模して形成した樹脂板が取り付けられていることを特徴とする請求項１記載の展示自動車装飾用アーチ。
【請求項３】
ズボンがテント生地であることを特徴とする請求項１又は２記載の展示自動車装飾用アーチ。
【考案の詳細な説明】
【技術分野】
【０００１】
本考案は、自動車販売店に展示されている自動車を装飾するために使用する展示自動車装飾用アーチに関する。
【背景技術】
【０００２】
自動車販売店に展示されている自動車は、自動車が販売店の来場者や販売店の側を通る通行人の目に止まりやすいようにように各種の装飾品で飾られている。装飾品としては、カラフルな旗、アーチフラワー、風船などが利用されている。
【０００３】
図２は従来の展示自動車装飾用アーチの一例を示す図である。図２において、アーチ形をしたアーチパイプ１の全体に各種の色をした樹脂製シートの飾り９を通して装飾されたアーチが形成される。アーチパイプ１の両端には、プレート５にパイプ６を垂直に設けたアーチ支持スタンドのパイプ６が挿入され、プレート５上に自動車の車輪７を載せてアーチが倒れないように起立させる。
【０００４】
なお、アーチ形の装飾体については、例えば自動車展示用ではないが、アーチパイプに植物を装着したものが特許文献１に記載されている。
【特許文献１】実用新案登録第３０８５４２２号公報
【考案の開示】
【考案が解決しようとする課題】
【０００５】
前述の従来の展示自動車装飾用アーチは、アーチパイプに各種の色をした樹脂製シートの飾りを通してアーチ形にしただけなので、形態が単純で変化に乏しく見慣れてくるとあまり目を引くものではなかった。また飾りは、多くの樹脂製フィルムをステープラーでつないでアコーデオンのように伸ばしてアーチパイプに通して固定するため、作業に時間がかかるという欠点があった。
【０００６】
そこで、本考案は、簡単に製造できるとともに、人の目にとまりやすい展示自動車装飾用アーチを提供するものである。
【課題を解決するための手段】
【０００７】
本考案は、ズボンをはいた人間が身体を曲げて両手を脚で支えて開脚した脚の間から後を見る顔の姿勢を模した形状の展示自動車装飾用アーチにおいて、アーチ形をしたアーチパイプに開脚した姿勢を模した筒状の生地を通して形成された、自動車を幅方向で跨ぐアーチ形のズボンに、顔及び手の形状を模して形成した樹脂板が取り付けられていることを特徴とする。
【考案の効果】
【０００８】
本考案の展示自動車装飾用アーチは、開脚した脚の間から顔を出した形をした展示自動車装飾用アーチなので、人の目にとまりやすく、見る人の注意を十分に引きつけることができる。また、アーチパイプに通す生地と、生地に取り付ける板で形成した簡単な構造なので、容易に製造することができる。
【考案を実施するための最良の形態】
【０００９】
図１は本考案の展示自動車装飾用アーチの１実施例を示し、（ａ）は平面図、（ｂ）は側面図、（ｃ）は正面図、（ｄ）はアーチパイプとアーチ支持スタンド部分の拡大図である。
【００１０】
図１において、アーチ形をしたアーチパイプ１に人間がズボンをはいて開脚した姿勢を模した筒状の布地を通してアーチ形の形状のズボン２を形成する。アーチの両端の間隔は車の幅より大きくして車を跨ぐアーチとする。布地としては、丈夫な生地を使用し、特に雨や埃に対して強い耐候性に優れたテント生地（例えば、ユニチカ製の「ターポリン」）が好ましい。
【００１１】
ズボン２の色は、赤色や黄色などのカラフルな色が目立って目を惹きやすい。また、左右の色を変えたもの、あるいは模様のついたものなどであってもよく、目を惹くように自由に選択することができる。
【００１２】
顔、腕の部分は塩化ビニールなどの樹脂板３，４を顔、腕の形状を模して形成し、テント生地に接着等により保持する。顔を模した樹脂板３及び手を模した樹脂板４の形状は、身体を曲げて両手を足で支えて開脚した足の間から後を見る顔の姿勢となるように形成してテント生地に取り付ける。顔を模した樹脂板３の顔の表情、ヘアスタイルやカラーなどは自由に変えてよく、またタレントなどの顔写真を貼ってもよい。ズボン２の裾部分には靴を模した樹脂板８を接着してもよい。
【００１３】
図１（ｄ）において、アーチパイプ１の両端には、プレート５にパイプ６を垂直に設けたアーチ支持スタンドのパイプ６が挿入され、プレート５上に自動車の車輪７を載せてアーチが倒れないように起立させる。
【００１４】
本考案の展示自動車装飾用アーチは、アーチパイプ１にズボン２となるテント生地の筒を通し、ズボン２に顔、手足、靴となる樹脂板３，４，８を接着することにより手間ひまを掛けずに容易に製造することができる。
【００１５】
使用する際には、アーチ支持スタンドのパイプをアーチパイプの両端に挿入し、プレート上に自動車の車輪を載せてアーチが倒れないように起立させて使用する。
【図面の簡単な説明】
【００１６】
【図１】本考案の展示自動車装飾用アーチの１実施例を示し、（ａ）は平面図、（ｂ）は側面図、（ｃ）は正面図、（ｄ）はアーチパイプとアーチ支持スタンド部分の拡大図である。
【図２】従来の展示自動車装飾用アーチの一例を示す図である。
【符号の説明】
【００１７】
１：アーチパイプ
２：ズボン
３：顔を模した樹脂板
４：及び手を模した樹脂板
５：プレート
６：パイプ
７：自動車の車輪
８：靴を模した樹脂板
９：飾り
【図１】
0003101495.tif 000003
【図２】
0003101495.tif 000004
(57)【要約】【課題】  夏季における海水浴場やゴルフ場、スポーツ競技場などで冷やされた飲料を自動販売機で購入しても、じきに昇温してその価値を著しく減じてしまいがちである。またこれを防ぐためにわざわざ保冷箱等を用意しなくてはならない場合も多い。本考案はかかる問題点を解決することを課題とする。【解決手段】  氷結させた飲用物をペットボトル容器内に密閉収容した氷結ペットボトル飲料とする。またこれを販売するための自動販売機は、機内の商品収容箇所の温度を氷結ペットボトル飲料の氷結状態を維持する温度に設定する温度設定装置及び冷却装置を内部に備えたものとする。【選択図】  図２
0003101714.tif 000002
【実用新案登録請求の範囲】
【請求項１】
氷結させた飲用物をペットボトル容器内に密閉収容して成ることを特徴とする氷結ペットボトル飲料。
【請求項２】
機内の商品収容箇所の温度を氷ペットボトル飲料の氷結状態を維持する温度に設定する温度設定装置及び冷却装置を内部に備えたことを特徴とする氷結ペットボトル飲料用自動販売機。
【考案の詳細な説明】
【技術分野】
【０００１】  この考案は、氷結させたペットボトル飲料とこれを専用に販売する自動販売機に関する。
【背景技術】
【０００２】  近年、夥しい種類と量の飲料が自動販売機で販売されていることは周知の通りである。これらはいわゆるアイスクリームや氷菓子類と異なり、壜、缶、ペットボトル容器、或いは紙カップ等の容器に収容される液状物として販売されているのが現状である。【０００３】  またその自動販売機も、温度設定としては冷蔵仕様、又は冷蔵とホット仕様はあるものの、アイスクリームのような冷凍仕様のもの、又は冷蔵と冷凍仕様のものは未だ存在しないのが現状である。
【考案の開示】
【考案が解決しようとする課題】
【０００４】  このような現状において、夏季における海水浴場やゴルフ場などで冷やされた飲料を自動販売機で購入しても、じきに昇温してその価値を著しく減じてしまいがちである。またこれを防ぐためにわざわざ保冷箱を用意しなくてはならない場合も多い。本考案はかかる問題点を解決することを課題とする。
【課題を解決するための手段】
【０００５】  図１のように、氷結させた飲用物１をペットボトル容器２内に密閉収容して、本考案の氷結ペットボトル飲料１２とする。【０００６】  氷結状態として好ましいのは準シャーベット状であり、過剰に固い冷凍状態にする必要はない。【０００７】  その氷結は飲料の容器内充填後に工場内で行われるが、氷結時に若干体積が増大するものの、弾性体であるペットボトル容器の僅かな変形がこれを十分に吸収する。このように氷結させた後に専用の自動販売機内に収めることになる。【０００８】  この専用の自動販売機は次のようなものにする。すなわち、機内の商品収容箇所の温度を氷結ペットボトル飲料１２の氷結状態を維持する温度に設定する温度設定装置３及び冷却装置４を内部に備えるものとし、他は在来のペットボトル飲料用自動販売機のものをほぼ踏襲する。【０００９】  温度設定装置３は必ずしも単一の部品や装置を指すのでなく、温度センサー３Ａ、サーモスタット３Ｂ、温度調節ダイヤル３Ｃ等の総称とする。【００１０】  冷却装置４は一般に冷凍機４Ａと冷却器４Ｂに分けて自販機内下部に取付けるものとし、ファン５で冷気を上方に向けて送り出し循環させる。【００１１】  なお夏季と冬季では外気温が大きく異なり飲料商品のニーズも異なるから、およそ１７℃を境にしてそれより低い気温の時には通常の液状飲料と同様のものを置き、通常の自販機同様約５℃〜１０℃程度に温度設定することが好ましい。
【考案の効果】
【００１２】
【００１３】  本考案によれば、ペットボトル容器内の飲料が氷結状になっているから、夏場における高温環境内にしばらく放置しても、氷のもつ大きな融解潜熱が長時間にわたってこれを０℃近くに保ち、甚だ心地よい冷却状態の飲料をペットボトルにおいて飲用することができる。従って海水浴場やゴルフ場において、或いは長距離ドライバーなどにとって保冷箱等を要しないなどの効果がある。
【考案を実施するための最良の形態】
【００１４】  氷結ペットボトル飲料１２として適した形態は、２００〜１０００ｃｃ程度の角型ペットボトル容器内にジュースや清涼飲料、スポーツドリンクなど氷点のあまり低くない飲料を先ず充填し、これを準シャーベット状に凍らせたようなものとなり、これを専用の自販機内に収めて販売するものとする。【００１５】  専用の自動販売機は、夏場では−５℃〜−１０℃の冷凍仕様であっても、冬場では冷蔵仕様に切り替わるものとし、また霜とり機能を備えたものとする。
【実施例】
【００１６】  ３００ｃｃ入り角型ペットボトル容器内に果汁飲料を充填してシャーベット状に氷結させ、これを専用自販機内に収容する。専用自販機は図２に示すようなもので、商品搬出方式はスパイアル式とする。下方に冷凍機４Ａと冷却器４Ｂとファン５を設け、商品収容箇所を夏季において−５℃〜−１０℃に保つことができるような温度センサー３Ａ、サーモスタット３Ｂ、温度調節ダイヤル３Ｃを設置する。また冬季には温度調節ダイヤル３Ｃで０℃〜５℃になるよう調整できるようにする。なお扉側には在来同様に、基盤コントロールボックス６、コインメック７、商品取出口８等が設けられる。
【産業上の利用可能性】
【００１７】  本考案の氷結ペットボトル飲料とその自動販売機は、夏場における海水浴場やゴルフ場、スポーツ競技場等において、或いは長距離ドライバーにとって甚だニーズの高いものであり、また製造等の扱いも容易であるから、産業上の利用可能性は甚大なものがある。
【図面の簡単な説明】
【００１８】
【図１】本考案の氷結ペットボトル飲料の断面図
【図２】本考案の氷結ペットボトル飲料用自動販売機の開扉時の見取図
【符号の説明】
【００１９】  １……氷結させた飲用物
２……ペットボトル容器
１２……氷結ペットボトル飲料
３……温度設定装置
３Ａ……温度センサー
３Ｂ……サーモスタット
３Ｃ……温度調節ダイヤル
４……冷却装置
４Ａ……冷凍機
４Ｂ……冷却器
５……ファン
６……基盤コントロールボックス
７……コインメック
８……商品取出口
【図１】
0003101714.tif 000003
【図２】
0003101714.tif 000004
(57)【要約】      （修正有）【課題】患部の異物感や、服が汚れてしまったりという事がなくなり、誰もが簡単に使用することが可能な健康テープを提供する。【解決手段】ブラックシリカを、粘着作用のある粘着剤に混合し、基材層に貼り付けてブラックシリカ健康シールを形成したもの。【選択図】図１
0003101705.tif 000002
【実用新案登録請求の範囲】
【請求項１】
ブラックシリカの微粒子及びブラックシリカと鉱物等の微粒子混合物（以下ブラックシリカ）に粘着剤を含有し基材層に塗布した、人体に貼ることを目的とした健康シール。
【考案の詳細な説明】
【技術分野】
【０００１】  健康維持用具に関するものである。
【背景技術】
【０００２】  ブラックシリカは、国内では唯一北海道上ノ国町の鉱山で産出され、遠赤外線及びマイナスイオン、波動等の活性エネルギーを放射発散する天然鉱石であり、腰痛・肩こり・神経痛・不眠症等の緩和、及び抗菌・脱臭・浄化等の効果がある鉱石として知られている。従来ブラックシリカは原石そのものを患部にあてがう事により鉱物の有する効果を利用していた。
【考案の開示】
【考案が解決しようとする課題】
【０００３】  従来のブラックシリカ健康シールは原石そのものおよび微粒子粉砕したブラックシリカを直接肌に貼るという手法がとられていた。しかしながら原石を直接肌に貼った場合には、貼った箇所に異物感があったり、肌が荒れたり、ブラックシリカにより黒くなり衣服が汚れてしまったりと多少の不都合が生じていた。また、磁気を利用した健康シールは一般的によく知られているが、磁力による副作用があったり、使用する人によっては使用の制限があるなど一般的な健康シールとしては使用しにくい点がある。本考案者は、これら課題を解決すべく次に示す手段により課題を解決できる事を見いだし、本考案を完成した。
【課題を解決するための手段】
【０００４】  ブラックシリカを粘着作用のある粘着剤に混合し、基材層に貼り付けてブラックシリカ健康シールを形成したものである。
【考案の効果】
【０００５】  本考案のブラックシリカ健康シールは、ブラックシリカを含有した粘着剤を患部に貼ることによりブラックシリカが放射する遠赤外線、マイナスイオン、波動等の活性エネルギーの効果及びブラックシリカの有する鎮静作用が患部に有効に働くものである。このため肩こり、捻挫、打撲、腰痛その他の症状を解消でき、健康の増進に役立てることができる。また、従来技術での患部の異物感や、服が汚れてしまったりという事がなくなることも本考案の効果によるものであり、誰もが簡単に使用することが可能な健康テープである。
【考案を実施するための最良の形態】
【０００６】  本考案の好ましい実施の形態を説明する。健康シールは図１断面図に示すとおり、基材層Ａ、基材層Ｂから形成される。基材層Ａは基材層Ｂのブラックシリカ粘着剤を支持するものであり、ナイロンなどのポリアミド樹脂その他の可撓性樹脂や、布、紙などが使用される。ブラックシリカ粘着剤基材層Ｂにブラックシリカと混合するものは特に限定されないが、伸縮可能な合成ゴムに粘着力が付与されたものを用い、肌のかぶれ、炎症等が起こりにくいもの材料を含有するのが望ましい。混合するブラックシリカは、１〜３０μの粒子径に粉砕した物を用いるのが望ましい。ブラックシリカと粘着剤の含有率は特に限定はされないが、通常はブラックシリカの含有率は１０％〜５０％とする。また、健康シールは、その適応部位、形状により適宜選択することができるが、使用しやすいよう患部に合わせた大きさにカットするのが望ましい。
【実施例】
【０００７】  以下、図面に基づいて本考案の実施例を説明する。
図１、図２、図３、図４は本考案にかかるブラックシリカ健康シールの断面図・全体図である。健康シールは図１断面図に示すとおり、基材層Ａ、基材層Ｂから形成される。基材層Ａは基材層Ｂのブラックシリカ粘着剤を支持するものであり、材質は特に限定はされないが、通常はナイロンなどのポリアミド樹脂その他の可撓性樹脂や、布、紙などが使用される。ブラックシリカ粘着剤基材層Ｂにブラックシリカと混合するものは特に限定されないが、通常は伸縮可能な合成ゴム、樹脂、スチレン等に粘着力が付与されたものが用いられ、肌のかぶれ、炎症等が起こりにくいものを含有するのが望ましい。基材層Ａに基材層Ｂは均一の厚さになるよう塗布されるものとする。混合するブラックシリカの粒形は特に限定されないが、通常１〜１０００μ、好ましくは１〜３０μの粒子径に粉砕した物を用いる。ブラックシリカと粘着剤の含有率は特に限定はされないが、通常はブラックシリカの含有率は１０％〜５０％とする。また、健康シールの形状、大きさは特に限定されず、その適応部位、形状により適宜選択することができるが、使用しやすいよう患部に合わせた大きさにカットするのが望ましい。例えば図２はブラックシリカ健康シールが小さくカットされた形状であり主に肩や首、腰等患部にじかに貼り、比較的貼付する範囲が狭い場合に使用するものである。図３は長尺型に成形したシールであり、腰全体、背中全体等患部が比較的広範囲の場合に利用するものである。図４は健康シールをロール状に巻回したものであり、ロール状態から適宜の長さずつ繰り出し、使用する患部に合わせて、カットすることにより使用するものであり、カットする大きさによってはさまざまな患部に使用することができる。
【図面の簡単な説明】
【０００８】
【図１】  本考案を示した断面図である。
【図２】  本考案を示した全体図である。
【図３】  本考案を示した全体図である。
【図４】  本考案を示した全体図である。
【符号の説明】
【０００９】    １．基材層Ａ
２．基材層Ｂ
【図１】
0003101705.tif 000003
【図２】
0003101705.tif 000004
【図３】
0003101705.tif 000005
【図４】
0003101705.tif 000006
(57)【要約】【課題】  本考案は鍋やフライパン等本体に当該ふたを立て掛けるための枠を鍋等の周囲、即ち、縁に設け、料理中、ふたを取った場合、ふたを置くためのスペース確保の手間を解消する。【解決手段】  本考案はふた立て１を鍋等本体２に設け、料理中、かぶせていた鍋等のふた３を取り、一時的に当該ふたを自分（料理人）の近辺に置きたい場合に、特に整然とされていない狭い台所において、諸々の物が溢れてふたを置くスペースの無い場合等、従来は雑然とふたを置いていたが、本考案のふた立てに、即ち、ふたホールダーにふたを置くことにより、ふたを手短に置けさらに簡便的なふた置きスペース確保に役立つ。【選択図】図３
0003101701.tif 000002
【実用新案登録請求の範囲】
【請求項１】
鍋やフライパン等本体にふた立て掛け用の枠を設け、ふた置き、即ち、ふたホールダーとして利用するところを特徴とするふた立て
【考案の詳細な説明】
【技術分野】
【０００１】  本考案は、鍋やフライパン等（以下、鍋等と称する）の周囲、即ち、ふちに当該ふたを立て掛けるための枠を設けた、ふた立てに関するものである。
【背景技術】
【０００２】  従来、料理をするため鍋等を用いた際、鍋等にかぶせていたふたを取ったりした場合に、そのふた置きに関してはスムースではなかった。特に物が溢れ整然とされていない狭い台所では、無理にスペースを見つけて雑然とふたを置いていた。
【考案の開示】
【考案が解決しようとする課題】
【０００３】  煮炊き等の料理中、狭い台所において鍋等にかぶせていたふたを取った場合、そのふたの一時的置き場所の確保に煩わしく、また、スペースも必要になる。
さらに、ふたの裏に煮汁等が付着している場合、他のものへの汚れとなる。
従って、鍋等の機能とふた立て掛けの機能を一体化することにより、特に狭い整然とされていない台所において、鍋等のふたの手短な置き場が可能となり、ふたホールダーとして前述の欠点を解決しようとするものである。
【課題を解決するための手段】
【０００４】  本考案は、鍋等本体に当該ふたを立て掛けるための枠を鍋の周囲、即ち、ふちに設け、その枠内に上方から挿入してふたが立て掛けられるようにすることにより問題点を解決している。
【考案の効果】
【０００５】  上述のように、本考案の鍋等付属ふた立ては、ふた立て掛け用の枠を当該鍋等の周囲、即ち、ふちに設けたので、当該ふたを手短に立て掛けられ、ふた置きスペースの確保の煩わしさ解消に役立つ。
【考案の実施するための最良の形態】
【０００６】  鍋等本体の周囲、即ち、ふちに金属製のふた立て掛け用の枠を設け、当該枠の中にふたを上方から挿入し、ふたを立て掛けられるようにする。本考案のふた立てを鍋等へ設置するに関しては、それらを溶接等で接着する固定性のものか、または、鍋等の周囲を移動可能な可動性のものが考えられる。また、固定方式にする際、鍋等に柄がある場合、柄の左右側か正面かなど、どこの部分にふた立てを設置するかについては特にこだわらないが、ただ、右利きの人であれば右側のふちに取付けたものが便利であろう。しかし、家族やその他複数で鍋等を使用する場合、左利きの人も使い易いように、本考案のふた立てが鍋等の下方にずり落ちないよう鍋等の周囲に凸型のくぼみを設けて、ふた立て掛け用枠を自由に鍋等の周囲を移動できるようにした移動可能なものがよりベターであると思われる。なお、この考案は重量の重いふたについては不向きである。
【実施例】
【０００７】  以下、添付図面に従って一実施例を説明する。１は鍋等枠型式のふた立て（ふたホールダー）、２は鍋等、３は鍋等のふた。なお、鍋やフライパン等はこれら実物は相似しており、共通利用が可能であるので、図は鍋を代表し他は省略した。
【図面の簡単な説明】
【０００８】
【図１】本考案の枠型式のふた立ての一実施例を示す上から見た正面図である。
【図２】本ふた立てを鍋等に設置した上から見た正面図である。
【図３】本ふた立てを鍋等に設置しふたを置いた状態の斜視図である。
【図４】本ふた立てを鍋等に設置しふたを置いた状態の側面図である。
【符号の説明】
【０００９】１  ふた立て
２  鍋等
３  鍋等のふた
【図１】
0003101701.tif 000003
【図２】
0003101701.tif 000004
【図３】
0003101701.tif 000005
【図４】
0003101701.tif 000006
【手続補正書】
【提出日】平成15年12月20日(2003.12.20)
【手続補正１】
【補正対象書類名】実用新案登録請求の範囲
【補正対象項目名】全文
【補正方法】変更
【補正の内容】
【実用新案登録請求の範囲】
【請求項１】
鍋やフライパン等本体にふた立て掛け用の枠を設け、ふた置き、即ち、ふたホールダーとして利用するところを特徴とするふた立て付き鍋またはフライパン